(57)【要約】      （修正有）【課題】攪拌子の確実な固定と、容易な取り外しとを両立できるとともに、攪拌性能を向上できる攪拌食器、攪拌子およびテーブルを提供すること。【解決手段】容器１００内に配置される攪拌子１０と、容器１００の外側から磁力を利用して攪拌子１０を回転させる駆動機構２００を有する本体２０と、を備えた攪拌食器１である。攪拌子１０は、回転軸１０１を中心として回転可能に設けられた羽根部１１と、羽根部１１に設けられた受動側磁石１２と、羽根部１１を容器１００の内面側に着脱自在に固定するための固定用磁石１３と、を有する。駆動機構２００は、回転可能に設けられた駆動側磁石２１０を有する。この攪拌食器１において、駆動側磁石２１０を回転させることで駆動側磁石２１０との間の斥力によって受動側磁石１２を反発させて羽根部１１を回転させる。【選択図】図１
2020081357.tif 000002
【特許請求の範囲】
【請求項１】
容器内に配置される攪拌子と、前記容器の外側から磁力を利用して前記攪拌子を回転させる駆動機構を有する本体と、を備えた攪拌食器であって、
前記攪拌子は、
回転軸を中心として回転可能に設けられた羽根部と、
前記羽根部に設けられた受動側磁石と、
前記羽根部を前記容器の内面側に着脱自在に固定するための固定用磁石と、を有し、
前記駆動機構は、回転可能に設けられた駆動側磁石を有し、
前記駆動側磁石を回転させることで前記駆動側磁石との間の斥力によって前記受動側磁石を反発させて前記羽根部を回転させる、攪拌食器。
【請求項２】
前記受動側磁石の磁化方向および前記駆動側磁石の磁化方向は、前記回転軸に対して互いに同じ側に傾斜して設けられた、請求項１記載の攪拌食器。
【請求項３】
前記羽根部の羽根面は、前記回転軸と直交する方向に対して傾斜して設けられた、請求項１または２に記載の攪拌食器。
【請求項４】
前記攪拌子は、前記羽根部とともに回転し、前記羽根部の回転によってできる内容物の流れを調整する整流フィンをさらに備えた、請求項３記載の攪拌食器。
【請求項５】
前記回転軸と前記受動側磁石との間にベアリングが設けられた、請求項１から４のいずれか１項に記載の攪拌食器。
【請求項６】
前記駆動機構は、前記駆動側磁石を回転させるモータを有し、
前記本体には、前記容器が前記本体に載置された際に前記モータへの通電を開始し、前記容器が前記本体から離れた際に前記モータへの通電を停止する切り替え手段が設けられた、請求項１から５のいずれか１項に記載の攪拌食器。
【請求項７】
容器と、
前記容器に設けられた攪拌子と、
を備えた攪拌食器であって、
前記攪拌子は、
回転軸を中心として回転可能に設けられた羽根部と、
前記羽根部に設けられた受動側磁石と、
前記羽根部を前記容器の内面側に着脱自在に固定するための固定用磁石と、を有し、
前記容器の外側からの磁力を前記受動側磁石で受けて前記羽根部が回転する、攪拌食器。
【請求項８】
前記羽根部の周囲の少なくとも一部を覆う網カバーをさらに備えた、請求項７記載の攪拌食器。
【請求項９】
容器内に配置され、前記容器内の内容物を攪拌させる攪拌子であって、
回転軸を中心として回転可能に設けられた羽根部と、
前記羽根部に設けられた受動側磁石と、
前記羽根部を前記容器の内面側に着脱自在に固定するための固定用磁石と、
を備え、
前記容器の外側からの磁力を前記受動側磁石で受けて前記羽根部が回転する、攪拌子。
【請求項１０】
前記羽根部の周囲の少なくとも一部を覆う網カバーをさらに備えた、請求項９記載の攪拌子。
【請求項１１】
天板と、
前記天板に組み込まれ、駆動機構を有する本体と、を備え、
前記天板に載置された容器の中に設けられた攪拌子を前記本体からの磁力によって回転させるテーブルであって、
前記駆動機構は、回転可能に設けられた駆動側磁石を有し、
前記天板の上面には、前記本体が組み込まれた位置を示すマークが設けられた、テーブル。
【発明の詳細な説明】
【技術分野】
【０００１】
本発明は、攪拌食器、攪拌子およびテーブルに関し、より詳しくは、容器内の収容物を効率良く攪拌することができる攪拌食器、攪拌子およびテーブルに関するものである。
【背景技術】
【０００２】
コップ等の容器に入れられた内容物を攪拌する装置として、特許文献１には、コップに収まる体積の熱容量を備える蓄熱部と、蓄熱部から突設するホルダー部とからなり、蓄熱部に溝を備えてもよく、材料がセラミックスである飲料冷却攪拌食器が開示される。
【０００３】
特許文献２には、不溶性素材からなり、使用時に飲料容器の内部に取り付け固定するための吸盤と、当該吸盤上部に、飲料容器を手に持ち動かした時に飲料に撹拌流を起こさせるための撹拌羽根を設けたことを基本構成とし、更に、飲料容器への着脱を容易にするために吸盤の中央軸と取り外し用つまみのどちらか一方、又は両方を棒状体に形成したり、シリコーンゴム素材にした飲料用撹拌用具が開示される。
【０００４】
特許文献３には、撹拌部を、ストロー本体の先端を変形させ、あるいはストロー先端に取り付けて外側に反らせた２〜４枚の羽根で構成するかき混ぜストローが開示される。特許文献４には、飲料カップの蓋、特に、飲料カップ、特に使い捨ての容器の蓋で、少なくとも一つの攪拌器を持つ飲料カップの蓋が開示される。
【先行技術文献】
【特許文献】
【０００５】
【特許文献１】特開２０１０−０２２７８４号公報
【特許文献２】特開２０１３−１１６１６５号公報
【特許文献３】特許第４６７６５６１号公報
【特許文献４】特表２０１０−５３６５２４号公報
【発明の概要】
【発明が解決しようとする課題】
【０００６】
攪拌子を回転させる攪拌食器において、容器内で回転する攪拌子が固定されていないと不安定である。また、攪拌終了後、容器を傾けて内容物を排出する際、攪拌子も一緒に落ちてしまうため、落ちないように押さえておくか、内容物の排出前に攪拌子を取り出しておく必要がある。一方、容器に攪拌子を固定しておくと、容器を洗浄したい場合に攪拌子が邪魔になってしまう。
【０００７】
本発明は、攪拌子の確実な固定と、容易な取り外しとを両立できるとともに、攪拌性能を向上できる攪拌食器、攪拌子およびテーブルを提供することを目的とする。
【課題を解決するための手段】
【０００８】
本発明の一態様は、容器内に配置される攪拌子と、容器の外側から磁力を利用して攪拌子を回転させる駆動機構を有する本体と、を備えた攪拌食器である。攪拌子は、回転軸を中心として回転可能に設けられた羽根部と、羽根部に設けられた受動側磁石と、羽根部を容器の内面側に着脱自在に固定するための固定用磁石と、を有する。駆動機構は、回転可能に設けられた駆動側磁石を有する。この攪拌食器において、駆動側磁石を回転させることで駆動側磁石との間の斥力によって受動側磁石を反発させて羽根部を回転させる。
【０００９】
このような構成によれば、磁力を利用して攪拌子を回転させる攪拌食器において、攪拌子の羽根部が固定用磁石によって容器の内面側に着脱自在に固定されるため、攪拌を行う際には攪拌子を確実に固定しておくことができる。一方、容器を洗浄する際など攪拌子が不要になった場合には攪拌子を容易に取り外すことができる。また、駆動側磁石と受動側磁石との間の斥力によって羽根部を回転させるため、羽根部を押す方向に力を加えて回転させることができる。
【００１０】
上記攪拌食器において、受動側磁石の磁化方向および駆動側磁石の磁化方向は、回転軸に対して互いに同じ側に傾斜して設けられていることが好ましい。これにより、羽根部を回転方向に押し進めるように斥力を働かせることができる。
【００１１】
上記攪拌食器において、羽根部の羽根面は、回転軸と直交する方向に対して傾斜して設けられていてもよい。これにより、羽根部の回転によって羽根面で内容物を効率良く掻き混ぜることができる。
【００１２】
上記攪拌食器において、攪拌子は、羽根部とともに回転し、羽根部の回転によってできる内容物の流れを調整する整流フィンをさらに備えていてもよい。これにより、羽根部の回転によってできる内容物の流れに、整流フィンによる調整作用を加えて効率的な攪拌を行うことができる。
【００１３】
上記攪拌食器において、回転軸と受動側磁石との間にベアリングが設けられていることが好ましい。これにより、ベアリングによって羽根部の回転をスムーズに行うことができる。
【００１４】
上記攪拌食器において、駆動機構は、駆動側磁石を回転させるモータを有し、本体には、容器が本体に載置された際にモータへの通電を開始し、容器が本体から離れた際にモータへの通電を停止する切り替え手段が設けられていてもよい。これにより、容器を本体に載置するとモータが駆動して駆動側磁石が回転し、攪拌が行われ、容器を本体から離すとモータが停止して駆動側磁石の回転が止まり、攪拌が終了することになる。
【００１５】
本発明の一態様は、容器と、容器に設けられた攪拌子と、を備えた攪拌食器である。この攪拌食器において、攪拌子は、回転軸を中心として回転可能に設けられた羽根部と、羽根部に設けられた受動側磁石と、羽根部を容器の内面側に着脱自在に固定するための固定用磁石と、を有し、容器の外側からの磁力を受動側磁石で受けて羽根部が回転するものである。この攪拌食器において、羽根部の周囲の少なくとも一部を覆う網カバーをさらに備えていることが好ましい。
【００１６】
本発明の一態様は、容器内に配置され、容器内の内容物を攪拌させる攪拌子である。この攪拌子は、回転軸を中心として回転可能に設けられた羽根部と、羽根部に設けられた受動側磁石と、羽根部を容器の内面側に着脱自在に固定するための固定用磁石と、を備え、容器の外側からの磁力を受動側磁石で受けて羽根部が回転するものである。この攪拌子において、羽根部の周囲の少なくとも一部を覆う網カバーをさらに備えていることが好ましい。
【００１７】
本発明の一態様は、天板と、天板に組み込まれ、駆動機構を有する本体と、を備え、天板に載置された容器の中に設けられた攪拌子を本体からの磁力によって回転させるテーブルであって、駆動機構は、回転可能に設けられた駆動側磁石を有し、天板の上面には、本体が組み込まれた位置を示すマークが設けられる。
【発明の効果】
【００１８】
本発明によれば、攪拌子の確実な固定と、容易な取り外しとを両立できるとともに、攪拌性能を向上できる攪拌食器を提供することが可能になる。
【図面の簡単な説明】
【００１９】
【図１】本実施形態に係る攪拌食器の構成を例示する模式断面図である。
【図２】攪拌子および駆動機構を例示する分解斜視図である。
【図３】斥力による羽根部の回転について説明する模式図である。
【図４】（ａ）および（ｂ）は、本実施形態に係る攪拌食器の動作を説明する模式断面図である。
【図５】整流フィンについて説明する模式斜視図である。
【図６】コップへの適用例を示す模式断面図である。
【図７】テーブルへの適用例を示す模式斜視図である。
【発明を実施するための形態】
【００２０】
以下、本発明の実施形態を図面に基づいて説明する。なお、以下の説明では、同一の部材には同一の符号を付し、一度説明した部材については適宜その説明を省略する。
【００２１】
（攪拌食器の構成）
図１は、本実施形態に係る攪拌食器の構成を例示する模式断面図である。
図２は、攪拌子および駆動機構を例示する分解斜視図である。
本実施形態に係る攪拌食器１は、容器１００内に入れられる内容物Ｗを攪拌する食器であり、コップなどの容器１００内に配置される攪拌子１０と、容器１００の外側から磁力を利用して攪拌子１０を回転させる駆動機構２００を有する本体２０と、を備える。
【００２２】
攪拌子１０は、回転軸１０１を中心として回転可能に設けられた羽根部１１と、羽根部１１に設けられた受動側磁石１２と、羽根部１１を容器１００の内面側に着脱自在に固定するための固定用磁石１３と、を有する。攪拌子１０の羽根部１１は、容器１００の内面の例えば底面１００ａに着脱自在に固定される。
【００２３】
羽根部１１は、回転軸１０１を中心として放射状に延出する複数枚の攪拌ブレード１１１を有する。例えば、３枚の攪拌ブレード１１１が回転軸１０１を中心として均等に配置される。羽根部１１の羽根面１１ａは、各攪拌ブレード１１１の面によって構成される。羽根部１１は回転軸１０１の一端に取り付けられる。また、回転軸１０１の他端はベアリング１５に取り付けられる。このベアリング１５によって羽根部１１をスムーズに回転させることができる。
【００２４】
羽根部１１の各攪拌ブレード１１１には受動側磁石１２が設けられる。受動側磁石１２には、例えば希土類磁石（ネオジウム磁石など）が用いられる。受動側磁石１２は攪拌ブレード１１１の面に取り付けられていてもよいし、攪拌ブレード１１１に内蔵されていてもよい。
【００２５】
固定用磁石１３は、羽根側磁石１３１と、容器側磁石１３２とを有する。羽根側磁石１３１は、ベアリング１５の羽根部１１とは反対側の面に取り付けられる。容器側磁石１３２は、容器１００の外側に取り付けられる。図１に示す例では、容器１００の底部１００ｂに内蔵されている。容器側磁石１３２は、底部１００ｂに内蔵されていなくても、攪拌子１０を取り付けたい部分と対向する容器１００の外側に設けられていればよい。
【００２６】
羽根側磁石１３１と容器側磁石１３２との互いの磁力（吸引力）によって、攪拌子１０の羽根部１１は、容器１００の内面側に着脱自在に固定される。攪拌子１０が固定用磁石１３によって着脱自在に固定されることから、容器１００の内容物Ｗを攪拌する際には攪拌子１０を確実に固定した状態で羽根部１１を回転させることができる。
【００２７】
特に、容器１００に予め容器側磁石１３２を組み込んでおけば、攪拌子１０を容器１００の容器側磁石１３２の位置に近づけるだけで、磁力によって攪拌子１０を簡単に取り付けることが可能となる。
【００２８】
一方、攪拌の必要がないときには、磁力に対抗して攪拌子１０を引っ張ることで容易に取り外すことができる。また、容器側磁石１３２が底部１００ｂから取り外せるようになっていれば、容器側磁石１３２を底部１００ｂから取り外すことで攪拌子１０の磁着固定が解除され、攪拌子１０を容易に取り外すことができる。これにより、容器１００を洗浄する際など、攪拌子１０が邪魔になるような場合、攪拌子１０を取り外して作業を行うことが可能となる。
【００２９】
本体２０に設けられる駆動機構２００は、回転可能に設けられた駆動側磁石２１０を有する。駆動側磁石２１０は、駆動側回転体２２０に取り付けられる。本実施形態では、駆動側回転体２２０として、回転軸２０１を中心として放射状に延出する複数枚の駆動側ブレード２２１を有する。駆動側ブレード２２１の枚数は、攪拌ブレード１１１の枚数と同じであることが好ましい。例えば、３枚の駆動側ブレード２２１が回転軸２０１を中心として均等に配置される。
【００３０】
駆動側回転体２２０の各駆動側ブレード２２１には駆動側磁石２１０が設けられる。駆動側磁石２１０には、例えば希土類磁石（ネオジウム磁石など）が用いられる。駆動側磁石２１０は駆動側ブレード２２１の面に取り付けられていてもよいし、駆動側ブレード２２１に内蔵されていてもよい。
【００３１】
駆動側回転体２２０はモータ２４０の回転軸２０１に取り付けられる。本体２０には制御部２５０および電源部２６０が設けられる。制御部２５０は、モータ２４０への電力の供給を制御する。制御部２５０によってモータ２４０の回転を制御することで、駆動側回転体２２０の回転数が制御される。電源部２６０は交流電源であってもよいし、直流電源であってもよい。また電源部２６０は蓄電池を備えていてもよい。
【００３２】
本体２０には、切り替え手段２７０が設けられていてもよい。切り替え手段２７０には、例えばマグネットスイッチが用いられる。切り替え手段２７０は制御部２５０と電気的に接続される。これにより、容器１００が本体２０に載置された際にはモータ２４０への通電が開始され、容器１００が本体２０から離れた際にはモータ２４０への通電が停止するようになる。
【００３３】
なお、切り替え手段２７０としてマグネットスイッチを用いる場合、容器側磁石１３２の磁力によって切り替え動作が可能となる。容器側磁石１３２によって的確にマグネットスイッチを動作させるため、容器側磁石１３２を複数個の磁石で構成してもよい。例えば、中央に配置する磁石と、その周辺に配置する磁石とによって構成する。これにより、中央に配置した磁石でマグネットスイッチを動作させ、周辺に配置した磁石によって羽根側磁石１３１との吸着を行うことができる。
【００３４】
また、切り替え手段２７０としてマグネットスイッチを用いる場合、駆動側回転体２２０の回転軸２０１の延長上に配置されていることが好ましい。回転軸２０１の延長上では、駆動側磁石２１０の磁力の影響を受けにくいため、駆動側磁石２１０によってマグネットスイッチが誤動作することを防止できる。
【００３５】
このような攪拌食器１では、磁力による攪拌子１０の回転として、磁石の斥力（反発力）を利用している。すなわち、駆動側磁石２１０を回転させることで駆動側磁石２１０との間の斥力によって受動側磁石１２を反発させて羽根部１１の攪拌ブレード１１１を回転させる。駆動側磁石２１０と受動側磁石１２との間の斥力によって羽根部１１の攪拌ブレード１１１を回転させるため、羽根部１１を押す方向に力を加えて回転させることができる。
【００３６】
図３（ａ）および（ｂ）は、斥力による羽根部の回転について説明する模式図である。
図３（ａ）には羽根部１１の回転前の状態が示され、図３（ｂ）には羽根部１１が回転している状態が示される。
磁石の斥力を利用して羽根部１１を効率良く回転させるため、図３（ａ）および（ｂ）に示すように、受動側磁石１２の磁化方向および駆動側磁石２１０の磁化方向は、回転軸１０１および２０１に対して互いに同じ側に傾斜して設けられている。
【００３７】
例えば、羽根部１１の攪拌ブレード１１１は回転方向の前方側が後方側に比べて下がるように傾斜している。この攪拌ブレード１１１の面に受動側磁石１２を取り付けることで、受動側磁石１２の磁化方向を攪拌ブレード１１１の面の傾斜に合わせて傾けている。
【００３８】
また、駆動側回転体２２０の駆動側ブレード２２１も同様に、回転方向の前方側が後方側に比べて下がるように傾斜している。この駆動側ブレード２２１の面に駆動側磁石２１０を取り付けることで、駆動側磁石２１０の磁化方向を駆動側ブレード２２１の面の傾斜に合わせて傾けている。
【００３９】
このように受動側磁石１２の磁化方向および駆動側磁石２１０の磁化方向を傾斜させつつ、受動側磁石１２および駆動側磁石２１０について互いに同極が対向するように配置している。
【００４０】
図３（ａ）に示すように、駆動側回転体２２０が回転していない状態では、受動側磁石１２と駆動側磁石２１０との間の磁力のバランス（異極間の吸引力と、同極間の反発力とのバランス）がとれた位置で安定する状態になる。すなわち、受動側磁石１２の磁化方向および駆動側磁石２１０の磁化方向が、回転軸１０１、２０１に対して互いに同じ側に傾斜して設けられているため、互いに磁石の異極間の磁力と同極間の磁力との双方が影響し合うことになり、羽根部１１と駆動側回転体２２０との回転方向の位相は、吸引と反発とのバランスのとれた位置で安定する状態になる。
【００４１】
図３（ｂ）に示すように、駆動側回転体２２０を回転させると、駆動側磁石２１０から受動側磁石１２へ向かう斥力（反発力）のベクトルに回転方向の成分が有効に働くようになる。したがって、斥力によって羽根部１１の攪拌ブレード１１１を回転方向に効率良く押し進めることができる。
【００４２】
ここで、磁力を用いた動力伝達機構としては、磁石の吸引力を用いた構成が適用される。羽根部１１と駆動側回転体２２０との間の動力伝達として磁石の吸引力を用いる場合、羽根部１１に負荷がかかると磁石間の距離が広がるため、磁石間の吸引力が直ちに低下する。このため、羽根部１１への駆動力伝達が直ぐに途絶えてしまう。
【００４３】
一方、本実施形態のように磁石の斥力を用いる場合、羽根部１１に負荷がかかると磁石間の距離は一旦縮まってから広がる。このため、磁石間の斥力は一旦増加する方向に働き、羽根部１１への動力伝達が直ぐに途絶えることはない。つまり、磁石の斥力を利用する構成によって、羽根部１１に負荷がかかった際の駆動力伝達のバッファを得ることができる。このバッファを超えない範囲の負荷であれば羽根部１１への動力伝達は途絶えない。また、もし指などが攪拌ブレード１１１に当たっても、バッファ内においては徐々に徐々に斥力が高まるため、いきなり指に強い衝撃が加わることはない。
【００４４】
なお、図３（ａ）および（ｂ）に示す例では、攪拌ブレード１１１および駆動側ブレード２２１のそれぞれを傾斜させて受動側磁石１２の磁化方向および駆動側磁石２１０の磁化方向を傾斜させているが、攪拌ブレード１１１および駆動側ブレード２２１の傾斜とは関係なく受動側磁石１２の磁化方向および駆動側磁石２１０の磁化方向を傾斜させてもよい。
【００４５】
ただし、羽根部１１の羽根面１１ａである攪拌ブレード１１１の面を回転軸１０１と直交する方向に対して傾斜して設けておくことで、羽根部１１の回転によって羽根面１１ａで内容物Ｗを効率良く掻き混ぜることができる。
【００４６】
（動作）
次に、本実施形態に係る攪拌食器１の動作について説明する。
図４（ａ）および（ｂ）は、本実施形態に係る攪拌食器の動作を説明する模式断面図である。
先ず、図４（ａ）に示すように、容器１００内に攪拌子１０を取り付ける。攪拌子１０は固定用磁石１３によって容器１００の底面１００ａにしっかり固定される。その後、容器１００に内容物Ｗを入れる。容器１００が本体２０の載置面２０ａから離れている場合には、切り替え手段２７０によってモータ２４０への通電が行われない。したがって、この状態では駆動側回転体２２０は回転していない。
【００４７】
次に、図４（ｂ）に示すように、容器１００を本体２０の載置面２０ａに載置する。これにより、切り替え手段２７０が動作してモータ２４０への通電が行われる。モータ２４０の回転によって駆動側回転体２２０が回転する。そして、駆動側磁石２１０と受動側磁石１２との斥力によって羽根部１１の攪拌ブレード１１１が回転し、内容物Ｗの攪拌が行われる。
なお、容器１００を本体２０の載置面２０ａに載置すると、容器１００側の磁石（例えば、受動側磁石１２や容器側磁石１３２）と、本体２０側の磁石（例えば、駆動側磁石２１０や切り替え手段２７０として使用されるマグネットスイッチの磁石）との間の磁力（吸引力）によって、容器１００は載置面２０ａに安定して載置される。
【００４８】
攪拌を終了したい場合には、容器１００を本体２０の載置面２０ａから離せばよい。これにより、駆動側磁石２１０の磁力が及ばなくなって、攪拌子１０の回転が止まる。また、容器１００を本体２０の載置面２０ａから離すことで切り替え手段２７０が動作し、モータ２４０への通電が停止する。これにより、駆動側回転体２２０の回転が止まる。
【００４９】
なお、上記の例では容器１００が載置面２０ａに載置されると攪拌子１０が自動的に回転する動作について説明したが、切り替え手段２７０として手動のスイッチを用い、利用者の操作で攪拌子１０の回転および停止を制御するようにしてもよい。
【００５０】
また、ストローを使用したい場合には、ストローを回転軸１０１の先端に差し込むようにするとよい。回転軸１０１の延長上は内容物Ｗの攪拌の回転中心になるため、回転軸１０１に差し込んだストローが攪拌の邪魔になることはない。また、内容物Ｗを飲む際には攪拌動作が停止していることから、ストローを使用して内容物Ｗを吸い上げる際にはストローが回転軸１０１とともに回ってしまうことはない。なお、ストローを回転軸１０１に差し込んで使用する場合、ストローの回転軸１０１への差し込み端の近傍に小孔や、回転軸１０１との間に僅かな隙間を設けておく。また、回転軸１０１を中空として軸周面に小孔を設けておいてもよい。これにより、小孔や隙間から内容物Ｗを吸い込んでストローで吸い上げることができる。
【００５１】
（整流フィン）
図５は、整流フィンについて説明する模式斜視図である。
図５に示すように、羽根部１１の攪拌ブレード１１１の間に整流フィン１１２を設けてもよい。整流フィン１１２は、羽根部１１の回転によってできる内容物Ｗの流れを調整する役目を果たす。例えば、攪拌ブレード１１１の面が傾斜して設けられている場合、攪拌ブレード１１１の回転によって内容物Ｗに渦が生成される。整流フィン１１２があることで、この渦をかき消すような流れを作ることができる。これにより、単に攪拌ブレード１１１で攪拌する場合に比べて複雑な流れを加えることができ、効率的な攪拌を行うことができるようになる。
【００５２】
整流フィン１１２の形状は、例えば攪拌ブレード１１１の傾斜と同じ方向に傾斜し、翼端に立設片１１２ａが設けられている。整流フィン１１２の回転径は、攪拌ブレード１１１の回転径よりも小さくなっている。なお、整流フィン１１２の形状は上記に限定されず、内容物Ｗの流れを調整するために必要な形状を採用することができる。
【００５３】
（コップへの適用例）
図６は、コップへの適用例を示す模式断面図である。
本実施形態に係る攪拌食器１における攪拌子１０は、容器１００としてのコップ５００に適用可能である。すなわち、コップ５００は、コップ本体５１０と、コップ本体５１０の内面に着脱自在に取り付けられる攪拌子１０とを備える。攪拌子１０は、先に説明した構成と同様、回転軸１０１を中心として回転可能に設けられた羽根部１１と、羽根部１１に設けられた受動側磁石１２と、羽根部１１を容器１００の内面側に着脱自在に固定するための固定用磁石１３と、を有する。
【００５４】
攪拌子１０をコップ５００に適用する場合、攪拌子１０の少なくとも羽根部１１側を覆うように網カバー５２０が設けられているとよい。図６に示す例では、攪拌子１０の羽根部１１側および羽根部１１の側方を囲むように網カバー５２０が設けられる。攪拌子１０の着脱は網カバー５２０とともに行われる。
【００５５】
このような網カバー５２０が設けられることで、内容物Ｗに氷などの固体物が入っている場合でも、固体物が羽根部１１に当たることを防止することができる。したがって、網カバー５２０の網目を通過する液体を羽根部１１の回転によって攪拌することができる。網カバー５２０は、磁石の影響を受けにくい材料（プラスチックや非磁性金属など）によって形成されていることが好ましい。
【００５６】
なお、上記説明したコップ５００には、カップ、茶碗、グラス、ジョッキなど飲料を入れる各種の容器が含まれるものとする。
【００５７】
（テーブルへの適用例）
次に、本実施形態に係る攪拌食器１のテーブルへの適用例について説明する。
図７は、テーブルへの適用例を示す模式斜視図である。
図７に示すように、テーブル６００は天板６１０と、天板６１０を支持する脚などの支持部材６２０とを備える。なお、テーブル６００はカウンタテーブルでもよい。
【００５８】
本実施形態に係る攪拌食器１の本体２０はテーブル６００の天板６１０に組み込まれている。天板６１０の上面６１０ａには、本体２０の組み込まれた位置を示す目印となるマークＭが付されている。
【００５９】
天板６１０に付されたマークＭ以外の場所にコップ５００などの容器１００を置いた場合には、天板６１０に組み込まれた本体２０の駆動側磁石２１０の磁力が容器１００内の羽根部１１の受動側磁石１２には及ばず、攪拌子１０は回転しない。つまり、容器１００の内容物Ｗは攪拌されない。
【００６０】
一方、コップ５００などの容器１００を天板６１０に付されたマークＭの位置に置くと、天板６１０に組み込まれた本体２０の切り替え手段２７０が動作してモータ２４０への通電が行われる。モータ２４０の回転によって駆動側回転体２２０が回転し、駆動側磁石２１０と受動側磁石１２との斥力によって容器１００内の羽根部１１の攪拌ブレード１１１が回転する。これにより、容器１００内の内容物Ｗが攪拌される。
【００６１】
例えば、飲食店舗でテーブル６００を利用する場合、客に提供する飲み物を本実施形態に係るコップ５００に入れて客に渡す。客がテーブル６００のマークＭの上にコップ５００を置くと、コップ５００内の攪拌子１０が自動的に回転し始め、飲み物を掻き混ぜることができる。掻き混ぜが必要ない場合にはコップ５００をマークＭ以外の位置に置けば、攪拌子１０の回転は行われない。
【００６２】
氷の入った飲み物の場合、氷が溶けて内容物Ｗの上の部分が薄まってしまう。このような場合、コップ５００をマークＭの上に載せることで自動的に攪拌子１０が回転して掻き混ぜが行われ、均一な濃さにすることができる。
【００６３】
また、コップ５００に氷を入れる場合、氷周辺のみの温度が下がり、下の方は暖かく、温度が不安定になって氷の溶ける時間も早くなりやすい。本実施形態に係るコップ５００によって攪拌子１０による掻き混ぜを行えば、少ない氷であってもより早く温度を下げつつ、均等に冷やして氷の溶けも抑えることが可能となる。
【００６４】
さらに、コップ５００をマークＭの上に載せると自動的にコップ５００内の攪拌子１０が回転するため、客に驚きと楽しさを与えることが可能となる。
【００６５】
また、粉末タイプの飲食物において、粉末をコップ５００に入れて水等を加えてマークＭの上に載せるだけで自動的に攪拌が開始されることから、掻き混ぜ棒や道具を用いることなく掻き混ぜられた飲食物を作ることができる。
【００６６】
また、本実施形態に係る攪拌食器１をビールの泡立てに利用することもできる。例えば、最初に少しだけコップ５００にビールを注ぎ、マークＭの上に置いて攪拌子１０を回転させて泡立てを行う。その後、マークＭの上から外し、攪拌子１０の回転を停止された状態でビールを注ぎ足す。これにより、程よい泡立ちのビールとなる。ビールのほか、カフェラテや抹茶ラテのような泡が必要な飲み物にも適用可能である。
【００６７】
また、容器１００として鍋などの調理器や皿など食器（以下、単に「食器等」と言う。）を用いる場合、食器等に攪拌子１０を設けておくことで、天板６１０のマークＭの上に食器等を載置することで、食器等に入れられたスープなどを自動的に掻き混ぜることができる。この場合、攪拌子１０の羽根部１１を囲む網カバー５２０が設けられていることが好ましい。
【００６８】
野菜ジュースや果肉入り飲料など、沈殿しやすい物を含む飲食物については適宜のタイミングで掻き混ぜたい。本実施形態に係るコップ５００を利用することで、このような沈殿しやすい物を含む飲食物について、マークＭの上に載せることで自動的に攪拌が行われ、沈殿を解消して味の均一化を図ることができる。
【００６９】
ここで、本体２０やテーブル６００にイルミネーションを設けてもよい。イルミネーションは、コップ５００などの容器１００を本体２０やテーブル６００に載置して切り替え手段２７０が動作した際、イルミネーションに通電して発光させる。これにより、攪拌子１０の回転によって内容物Ｗが掻き混ぜられるとともに、イルミネーションが発光して掻き混ぜていることを知らせることができる。また、コップ５００や容器１００が透光性を有している場合、イルミネーションの光が回転する攪拌子１０や内容物Ｗで反射および拡散し、美しい外観を与えることができる。
【００７０】
なお、マークＭの位置に容器１００を置くと、容器１００側の磁石と、本体２０側の磁石との間の磁力（吸引力）によって、容器１００は天板６１０に安定して載置される。したがって、本実施形態に係るテーブル６００を用いることで、コップ５００などの容器１００の転倒防止の役目も果たすことができる。
【００７１】
以上説明したように、本実施形態に係る攪拌食器１によれば、攪拌子１０の確実な固定と、容易な取り外しとを両立できるとともに、攪拌性能を向上することができる。また、羽根部１１が磁石の斥力で回転しているため、万が一、羽根部１１に手が触れても磁力以上の力が加わらず、安全に利用することが可能である。
【００７２】
なお、上記に本実施形態およびその適用例を説明したが、本発明はこれらの例に限定されるものではない。例えば、攪拌ブレード１１１の数や形状は上記説明したものに限定されない。また、攪拌子１０を容器１００の内面に着脱自在に固定する固定用磁石１３に代わり、着脱自在の固定手段として吸盤を利用することも可能である。
【００７３】
また、本実施形態ではモータ２４０を利用して駆動側回転体２２０を電動で回転させる例を示したが、モータ２４０を用いることなく手動で回転させるようにしてもよい。例えば、テーブル６００の天板６１０にハンドルやダイヤルを設けておき、ハンドルやダイヤルの回転を駆動側回転体２２０に伝達するよう構成する。これにより、利用者（客など）がハンドルやダイヤルを好みで回転させることでコップ５００内の攪拌子１０を回転させて攪拌を行うことが可能となる。
【００７４】
また、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【産業上の利用可能性】
【００７５】
本発明に係る攪拌食器１および攪拌子１０の構成は、飲食料品以外の内容物Ｗを容器１００内で攪拌させる攪拌装置に適用可能である。
【符号の説明】
【００７６】
１…攪拌食器
１０…攪拌子
１１…羽根部
１１ａ…羽根面
１２…受動側磁石
１３…固定用磁石
１５…ベアリング
２０…本体
２０ａ…載置面
１００…容器
１００ａ…底面
１００ｂ…底部
１０１…回転軸
１１１…攪拌ブレード
１１２…整流フィン
１１２ａ…立設片
１３１…羽根側磁石
１３２…容器側磁石
２００…駆動機構
２０１…回転軸
２１０…駆動側磁石
２２０…駆動側回転体
２２１…駆動側ブレード
２４０…モータ
２５０…制御部
２６０…電源部
２７０…切り替え手段
５００…コップ
５１０…コップ本体
５２０…網カバー
６００…テーブル
６１０…天板
６１０ａ…上面
６２０…支持部材
Ｍ…マーク
Ｗ…内容物
【図１】
2020081357.tif 000003
【図２】
2020081357.tif 000004
【図３】
2020081357.tif 000005
【図４】
2020081357.tif 000006
【図５】
2020081357.tif 000007
【図６】
2020081357.tif 000008
【図７】
2020081357.tif 000009
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
容器内に配置される攪拌子と、前記容器の外側から磁力を利用して前記攪拌子を回転させる駆動機構を有する本体と、を備えた攪拌食器であって、
前記攪拌子は、
回転軸を中心として回転可能に設けられた羽根部と、
前記羽根部に設けられた受動側磁石と、
前記羽根部を前記容器の内面側に着脱自在に固定するための固定用磁石と、を有し、
前記駆動機構は、回転可能に設けられた駆動側磁石を有し、
前記受動側磁石の磁化方向および前記駆動側磁石の磁化方向は、前記回転軸に対して互いに同じ側に傾斜して設けられ、
前記駆動側磁石を回転させることで前記駆動側磁石との間の斥力によって前記受動側磁石を反発させて前記羽根部を回転させる、攪拌食器。
【請求項２】
前記羽根部の羽根面は、前記回転軸と直交する方向に対して傾斜して設けられた、請求項１記載の攪拌食器。
【請求項３】
前記攪拌子は、前記羽根部とともに回転し、前記羽根部の回転によってできる内容物の流れを調整する整流フィンをさらに備えた、請求項２記載の攪拌食器。
【請求項４】
前記回転軸と前記受動側磁石との間にベアリングが設けられた、請求項１から３のいずれか１項に記載の攪拌食器。
【請求項５】
前記駆動機構は、前記駆動側磁石を回転させるモータを有し、
前記本体には、前記容器が前記本体に載置された際に前記モータへの通電を開始し、前記容器が前記本体から離れた際に前記モータへの通電を停止する切り替え手段が設けられた、請求項１から４のいずれか１項に記載の攪拌食器。
【手続補正３】
【補正対象書類名】明細書
【補正対象項目名】０００１
【補正方法】変更
【補正の内容】
【０００１】
本発明は、攪拌食器に関し、より詳しくは、容器内の収容物を効率良く攪拌することができる攪拌食器に関するものである。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
容器内に配置される攪拌子と、前記容器の外側から磁力を利用して前記攪拌子を回転させる駆動機構を有する本体と、を備えた攪拌食器であって、
前記攪拌子は、
回転軸を中心として回転可能に設けられた羽根部と、
前記羽根部に設けられた受動側磁石と、
前記羽根部を前記容器の内面側に着脱自在に固定するための固定用磁石と、を有し、
前記駆動機構は、回転可能に設けられた駆動側磁石を有し、
前記受動側磁石の磁化方向および前記駆動側磁石の磁化方向は、前記回転軸に対して互いに同じ側に傾斜して設けられ、
前記受動側磁石および前記駆動側磁石について互いに同極が対向するように配置した状態で前記駆動側磁石を回転させることで前記駆動側磁石との間の斥力によって前記受動側磁石を反発させて前記羽根部を回転させる、攪拌食器。
【請求項２】
前記羽根部の羽根面は、前記回転軸と直交する方向に対して傾斜して設けられた、請求項１記載の攪拌食器。
【請求項３】
前記攪拌子は、前記羽根部とともに回転し、前記羽根部の回転によってできる内容物の流れを調整する整流フィンをさらに備えた、請求項２記載の攪拌食器。
【請求項４】
前記回転軸と前記受動側磁石との間にベアリングが設けられた、請求項１から３のいずれか１項に記載の攪拌食器。
【請求項５】
前記駆動機構は、前記駆動側磁石を回転させるモータを有し、
前記本体には、前記容器が前記本体に載置された際に前記モータへの通電を開始し、前記容器が前記本体から離れた際に前記モータへの通電を停止する切り替え手段が設けられた、請求項１から４のいずれか１項に記載の攪拌食器。